(57)【要約】  本発明は、紙幣等の貴重品を取り扱う方法であって、貴重品／紙幣の受け取り及び供給を行うようになっている貴重品保管ユニット（１０）が用いられ、ユニット（１０）は、警報機構（１２）及び破壊機構／着色機構／マーキング機構（１３）を含むことが好ましい、紙幣等の貴重品を取り扱う方法に関する。ユニット（１０）は、貴重品／紙幣の受け取り及び／又は供給を行うその能力を利用する少なくとも２つの異なるユーザステーション間で移動させられる。必要な場合、複数のこのようなユニット（１０）を、本発明の概念に従って振り子式に用いられる共通のユニット群（１０００）として配置することができる。一例として組み合わせることができる２つのユーザステーションは、店舗の現金取扱地点（３０００）及び現金自動預払機（４０００）であり、紙幣が継続的に保護されて警送の必要性を減らすことができる。
2009510592.tif 000002
【特許請求の範囲】
【請求項１】
紙幣等の貴重品を取り扱う方法であって、
貴重品／紙幣の受け取り及び供給を行うようになっている貴重品保管ユニット（１０）が用いられ、
前記ユニット（１０）は、警報機構（１２）及び破壊機構／着色機構／マーキング機構（１３）を含むことが好ましい
紙幣等の貴重品を取り扱う方法において、
貴重品／紙幣の受け取り及び／又は供給を行う前記ユニット（１０）の能力を利用する少なくとも２つの異なるユーザステーション間で、前記ユニット（１０）を移動させることを特徴とする方法。
【請求項２】
前記ユニット（１０）の移動パターンを、命令センター／監視センター／貴重品管理センター（５００）から制御することを特徴とする、請求項１に記載の方法。
【請求項３】
前記ユニット（１０）を、ユーザステーションに位置する現金取扱地点ユニット（３０００）及び別のユーザステーションに位置する支払ユニット（４０００）と通信させることであって、それによって、例えば前記ユニット（１０）の振り子／交互使用を可能にする、通信させることを特徴とする、請求項１又は２に記載の方法。
【請求項４】
少なくとも２つのユニット（１０）を、異なるユーザステーション（Ａ〜Ｆ）間の移送パターンで用いることを特徴とする、請求項１〜３のいずれか一項に記載の方法。
【請求項５】
前記少なくとも２つのユニット（１０）は、貴重品保管群（１０００）を形成するようになっており、
前記群は、少なくとも２つの異なるユーザステーションに移動させられて、そこにおいて、貴重品／紙幣を受け取り且つ／若しくは供給するために、ユニット内又はシステム内に収容されることを特徴とする、請求項１〜４のいずれか一項に記載の方法。
【請求項６】
ユーザステーション及び／又は関連する貴重品保管ユニットは、前記貴重品の所有者を登録するために、及び、他の作業及びマッピング手順等を登録するために、共通の監視センター、現金センター、命令センター（５００）、又は同様のセキュリティ管理センターと対話通信することを特徴とする、請求項１〜５のいずれか一項に記載の方法。
【請求項７】
例えば紙幣等の貴重品の受け取り及び供給を行うようになっている貴重品保管ユニット（１０）又はそのユニットの群（１０００）の使用であって、
前記貴重品ユニット／ユニット群（１０／１０００）は、警報機構（１２）及び破壊機構／着色機構／マーキング機構（１３）を含むことが好ましい
使用において、
前記ユニット（１０）又は前記ユニット群（１０００）は、少なくとも２つのユーザステーション間で振り子式に用いられ、
前記ユーザステーションにおいて、貴重品／紙幣の受け取り及び／又は貴重品／紙幣の供給を命令するために、各ユニット／ユニット群（１０／１０００）が作業ユニット（３０００、４０００）と通信する
ことを特徴とする使用。
【請求項８】
前記ユニット（１０）又は前記ユニット群（１０００）は、少なくとも２つの互いに異なるユーザステーション間で交互に用いられ、
前記ユニット／前記ユニット群（１０／１０００）は、
第１のユーザステーションで店舗の現金取扱地点（３０００）等の一部として用いられ、
第２のユーザステーションで現金自動支払機（４０００）等の一部として用いられる
ことを特徴とする、請求項７に記載の使用。
【発明の詳細な説明】
【技術分野】
【０００１】
本発明は、請求項１の前文に記載の、紙幣等の貴重品を取り扱う方法に関する。本発明は、当該方法の使用にも関する。
【０００２】
紙幣及び対応する物品は、窃盗の標的となりやすい財産であるため、このような財産の窃盗を防止する必要がある。１つの方法は、警報器を備える保護ケーシング内に紙幣を保管することによってこれを達成することであり、保護ケーシングは、例えば警報器のトリガが起動されるような影響を保護ケーシングが受けると紙幣を着色することによって紙幣を使いものにならないようにする破壊手段を含む。
【０００３】
したがって、裸の又は保護されていない現金／紙幣と呼ばれ得るものができる限り存在しないようにするために、警報システムを用いて保護されると共に破壊機構／着色機構を含むことが好ましいシェル／ケーシング内に、紙幣／貴重品をできる限り保管することが望ましい。窃盗の危険は、裸の金銭ができる限り存在しないようにすることによって大幅に減らすことができる。
【０００４】
本発明の１つの目的は、いわゆる裸の金銭（保護されていない紙幣）の発生を最小限に抑える方法を提供することである。この目的は、添付の特許請求の範囲に記載の特徴を有する方法を用いて達成される。
【０００５】
以下の利点は、本発明を用いて得られる多くの利点の一部である。
【０００６】
本発明は、保管される紙幣の継続的保護を、ロジスティクス面での大きな利点と組み合わせて提供する。このような保護の結果として、窃盗の危険が最小限に抑えられ、貴重品輸送の必要性が減ると共に、貴重品の列挙／計数及び貴重品貯蔵庫への上記物品の保管の必要性が減る。盗難や強奪の危険は、上記物品の荷下ろし、再積み込み、又は積み替え等を通常は行う必要がないことによっても減る。貴重品／紙幣は常に保護される。
【０００７】
次に、添付図面を参照して、本発明の例示的な実施形態をより詳細に説明する。
【０００８】
図１及び図２は、保護シェル／保護ケーシング１１を備える貴重品保管ユニット１０を示し、保護シェル／保護ケーシング１１は警報機構１２と通信し、警報機構１２はさらに破壊機構１３と通信する。許可されていない人物が、保護ケーシング１１への侵入又は操作によってユニット１０の貴重品内容物（例えばその紙幣内容物）に不正アクセスを試みた場合、警報機構が破壊機構１３を起動して、紙幣の破壊、着色等を行わせる。貴重品保管ユニット１０は、ユニットの不正操作が試みられるとユニットの内容物（例えばユニット内に保管されている紙幣）の着色及び／又は破壊が行われるように設計される。
【０００９】
ユニット１０は、貴重品／紙幣を収集及び供給する手段１５を含む。図示の実施形態の場合、収集機構／供給機構１５は、反転可能な回転可能ドラム１６と、ユニットの外部のスロット１８を通して、（例えば紙幣の）送り込み及び送り出しを行うことを可能にするようになっているキャリアフィルム装置（arrangement）１７とを含み、紙幣が預け入れられるとキャリアフィルム２０、２１がスロット１８とドラム１６との間で紙幣を移送して、キャリアフィルムの一部と共にドラム１６への紙幣の巻き付けを行うようになっている。この装置の紙幣供給モードでは、キャリアフィルム２０、２１は、ドラム１６からスロット１８に紙幣を搬送するように機能する。紙幣の送り込み及び送り出しは、ドラム１６が回転する方向及びキャリアフィルム２０、２１が移動している方向によって制御される。図２から分かるように、キャリアフィルム２０、２１はそれぞれ、反転可能な収納ドラム２２、２３それぞれに収納され、複数の偏向ローラ／案内ローラによって案内される。
【００１０】
貴重品保管ユニット１０は、ユニットの紙幣内容物／貴重品内容物の登録と、関連する操縦命令の操作／制御とを行う電子的機構又はプロセッサ１９も含む。電子ユニット／プロセッサ１９は、例えば店舗の現金取扱地点（cash point）等の例えば電子ユニット／プロセッサに結合することができ、及び／又は現金自動預払機（ＡＴＭ機）の電子ユニット／プロセッサに結合することができ、及び／又は例えば命令センター、制御センター、現金センター等に結合することができる。これらの接続は、例えば、直接接続であってもよく、又は無線通信媒体等を通して得られる接続であってもよい。
【００１１】
図３は、制御センター／命令センター／現金センター５００と通信する２つの貴重品保管ユニット１０又は貴重品保管ユニット群１０００を示す。
【００１２】
図４は、４つの金額ユニット１０（各紙幣単位につき１つずつ）を含む貴重品保管ユニット群１０００を示す。図示の実施形態では、ユニットは、現金取扱地点の作業ユニット３０００と通信する。現金取扱地点のオペレータが、受け取った紙幣を関連するユニット１０に送り込み、顧客への釣銭として必要な紙幣が、各ユニット１０から取り出される。
【００１３】
図５は、４つの金額ユニット１０（関連する紙幣単位につき１つずつ）を含む貴重品保管ユニット群１０００を示す。この図示のユニット群は、自動支払機又は現金自動預払機（ＡＴＭ機）の作業ユニット４０００と通信する。作業ユニット４０００は、当然ながら、カードリーダ、ボタン列（button bank）、ディスプレイ等を含む。
【００１４】
本発明の方法によれば、当該貴重品保管ユニット１０又は貴重品保管ユニット群１０００は、２つ以上のユーザステーションにおいて用いることができる。これは、例えば紙幣が充填されたユニット１０又はユニット群１０００を店舗の現金取扱地点から自動紙幣支払機又は現金自動預払機に移動させることによってなされる。反対に、紙幣を排出して空にしたユニット１０又はユニット群１０００を店舗の現金取扱地点に移動させ、続いてそこで、後で現金自動支払機／現金自動預払機等に移すために紙幣を充填することができる。当然ながら、必要な通信及び結合が各ユーザステーションにおいて確立される。確実なハンドシェイク及び受け入れ手順で、例えば店舗の現金取扱地点及び現金自動支払ユニット等の新たなユーザステーション／ユーザユニットへの安全な再ドッキングを保証するのが好適である。
【００１５】
したがって、本発明の方法は、異なるユーザステーションＡ〜Ｆにおいて様々な紙幣の流れが生じる所望の領域Ｒ内で、貴重品保管ユニット１０又はこのようなユニット群１０００の交互使用を行うことを可能にし、領域外で紙幣を搬送する必要性を最小限に抑える。したがって、ユニット１０は、紙幣を常に保護し、裸の、すなわち保護されていない紙幣の数を最小限に抑える効果がある。
【００１６】
関与する現金の量及び現金の所有者の登録は、ロジスティクス面での決定と共に、現金センター／制御センター／命令センター５００又は同様のセキュリティ管理センターによって行われることが好ましい。これらの作業の少なくともいくつかを貴重品保管ユニット１０に任せることも可能である。
【００１７】
領域Ｒは、当然ながら、本発明の概念の範囲内で大きさが変わり得ることに言及しておく。当然ながら、これはユーザステーションの数についても言える。例えば、妥当な領域としては、継続的な現金保護を得るために本発明の方法の振り子又はユニット交換概念を適用することができる、ショッピング複合施設、百貨店、地区、市街、及びさらに大きな地理的地域を含み得る。
【００１８】
図６は、６つの互いに異なるユーザステーションＡ〜Ｆを含む領域Ｒを示し、貴重品中央制御ステーション／中央命令ステーション５００が、異なるユーザステーション間での貴重品保管ユニット／貴重品保管ユニット群のロジスティクス、すなわち交互移動パターン／振り子移動パターンを制御する。
【００１９】
ユニット又はユニット群は、搬送を容易にするために車輪５０によって支持され得る。
【００２０】
本発明の概念の枠組み内で構造的詳細の多くの変形が可能であることを理解されたい。
【００２１】
ユニット１０の構造設計は、幅広く変わり得る。例えば、上述の紙幣ドラム１６及びその周辺装置は、紙幣の受け取り及び供給を行うのに適格な代替的な紙幣取り扱い装置で置き換えてもよい。
【００２２】
他のユーザステーションも当然ながら本発明の範囲内で可能であるため、上記で例示したユーザステーション（店舗の現金取扱地点、自動支払機）は、本発明の範囲を限定するものと理解されないものとすることを理解されたい。様々な振り子パターン又はユニット移動パターンを用いることができ、移動は直接的でも間接的でもよいことも理解されたい。
【００２３】
したがって、互いに組み合わせた預入機及び支払機等、多くの代替的な相互作用ステーションも当然ながら発明概念の枠組み内で可能であるため、貴重品が移送される上述のステーション（店舗の現金取扱地点及び現金自動預払機）は、本発明の応用分野を限定しない。
【００２４】
したがって、添付の特許請求の範囲内で変更及び修正を行うことができるため、本発明は図示及び説明されたその実施形態に制限されない。
【図面の簡単な説明】
【００２５】
【図１】貴重品保管ユニットの概略斜視図である。
【図２】貴重品保管ユニットの一実施形態の破断側面図である。
【図３】振り子方式を利用する２つの貴重品保管ユニットの概略図である。
【図４】現金ユニットにドッキング又は接続された貴重品保管ユニットの概略図である。
【図５】現金自動預払機（ＡＴＭ機）にドッキング又は接続された貴重品保管ユニットの概略図である。
【図６】貴重品保管ユニットの群の概略図である。この図から、ユニットの振り子又は交互の移動パターンを、監視するセキュリティ管理センター又は現金取扱地点の媒体を介して、変更および制御できることが分かる、
【図１】
2009510592.tif 000003
【図２】
2009510592.tif 000004
【図３】
2009510592.tif 000005
【図４】
2009510592.tif 000006
【図５】
2009510592.tif 000007
【図６】
2009510592.tif 000008
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
紙幣等の貴重品を取り扱う方法であって、
貴重品／紙幣の受け取り及び供給を行うようになっている貴重品保管ユニット（１０）が用いられ、
前記ユニット（１０）は、警報機構（１２）及び破壊機構／着色機構／マーキング機構（１３）を含むことが好ましい
紙幣等の貴重品を取り扱う方法において、
貴重品／紙幣の受け取り及び／又は供給を行う前記ユニット（１０）の能力を利用する少なくとも２つの異なるユーザステーション間で、前記ユニット（１０）を移動させ、
前記能力の前記利用は、前記ユニット（１０）を、ユーザステーションに位置する現金取扱地点ユニット（３０００）等及び別のユーザステーションに位置する支払ユニット（４０００）等と通信させることによってなされる
貴重品を取り扱う方法。
【請求項２】
前記ユニット（１０）の移動パターンを、命令センター／監視センター／貴重品管理センター（５００）から制御することを特徴とする、請求項１に記載の方法。
【請求項３】
少なくとも２つのユニット（１０）を、異なるユーザステーション（Ａ〜Ｆ）間の移送パターンで用いることを特徴とする、請求項１または２に記載の方法。
【請求項４】
前記少なくとも２つのユニット（１０）は、貴重品保管群（１０００）を形成するようになっており、
前記群は、少なくとも２つの異なるユーザステーションに移動させられて、そこにおいて、貴重品／紙幣を受け取り且つ／若しくは供給するために、ユニット内又はシステム内に収容されることを特徴とする、請求項１〜３のいずれか一項に記載の方法。
【請求項５】
ユーザステーション及び／又は関連する貴重品保管ユニットは、前記貴重品の所有者を登録するために、及び、他の作業及びマッピング手順等を登録するために、共通の監視センター、現金センター、命令センター（５００）、又は同様のセキュリティ管理センターと対話通信することを特徴とする、請求項１〜４のいずれか一項に記載の方法。
【請求項６】
例えば紙幣等の貴重品の受け取り及び供給を行うようになっている貴重品保管ユニット（１０）又はそのユニットの群（１０００）の使用であって、
前記貴重品ユニット／ユニット群（１０／１０００）は、警報機構（１２）及び破壊機構／着色機構／マーキング機構（１３）を含むことが好ましい
使用において、
前記ユニット（１０）又は前記ユニット群（１０００）は、少なくとも２つのユーザステーション間で振り子式に用いられ、
前記ユーザステーションにおいて、貴重品／紙幣の受け取り及び／又は貴重品／紙幣の供給を命令するために、各ユニット／ユニット群（１０／１０００）が作業ユニット（３０００、４０００）と通信する
ことを特徴とし、かつ、
前記ユニット／前記ユニット群（１０／１０００）は、
第１のユーザステーションで店舗の現金取扱地点（３０００）等の一部として用いられ、
第２のユーザステーションで現金自動支払機（４０００）等の一部として用いられる
ことを特徴とする
貴重品保管ユニット（１０）又はそのユニットの群（１０００）の使用。
【国際調査報告】
2009510592.tif 000009
2009510592.tif 000010
2009510592.tif 000011
2009510592.tif 000012